(57)【特許請求の範囲】
【請求項１】
紙葉類を受け入れて搬送する搬送通路と、前記搬送通路を搬送される紙葉類を回収する回収装置と、を備え、前記回収装置は、前記搬送通路を搬送される紙葉類を導入し、その紙葉類を立姿勢で複数まとめて貯留する貯留部と、前記貯留部に貯留された紙葉類を一枚毎に分離して送出する紙葉分離手段と、を有し、前記貯留部に貯留される複数の紙葉類を前記紙葉分離手段により一枚毎に分離して送出するとき、事前に、押圧手段によりその複数の紙葉類の一方端側の表面を他方端側に向けて叩くように押圧し、その作用により複数の紙葉類の収納姿勢を整えてから前記紙葉分離手段により一枚毎に分離して送出することを特徴とする紙葉類の搬送回収装置。
【請求項２】
前記紙葉分離手段は、前記貯留部の一方の側部に沿って設けられる紙葉繰出部と、前記紙葉繰出部に対向して、前記貯留部の他方側に設けられる紙葉押圧板部と、前記貯留部の紙葉類送出端側に設けられる紙葉分離部とを有し、前記貯留部に貯留される紙葉類を一枚毎に分離して送出するとき、前記紙葉繰出部を紙葉類の繰出し方向に駆動し、前記紙葉押圧板部を前記紙葉繰出部の方向に移動して前記貯留部に貯留される紙葉類を前記紙葉繰出部に押圧し、紙葉類を前記紙葉分離部に向けて搬送し、前記紙葉分離部により紙葉類を一枚毎に分離して送出するものであって、前記貯留部に貯留される紙葉類を一枚毎に分離して送出するとき、事前に、前記紙葉押圧板部を前記紙葉繰出部の方向に移動し、前記貯留部の紙葉類を叩くように押圧し、その作用により前記貯留部に貯留される紙葉類の収納姿勢を整えてから前記紙葉分離手段により一枚毎に分離して送出することを特徴とする請求項１に記載の紙葉類の搬送回収装置。
【発明の詳細な説明】
【技術分野】
【０００１】
本発明は、搬送通路に沿って搬送される紙葉類を回収して収納する紙葉類の搬送回収装置に関する。この装置は、例えば、遊技場において複数並設されたパチンコ台等の遊技機の間に配設される複数のパチンコ玉等の遊技媒体貸出機に投入された紙幣を、その背面側に設けられた搬送通路を介して、その遊技機列の一側端に設けられた両替機等の紙幣収納部へ向けて搬送し、その紙幣を回収する紙幣搬送回収装置に利用される。
【背景技術】
【０００２】
従来のこの種の紙葉類の搬送回収装置としては、先に出願公開された特開２００２−３５２２９８号公報（特許文献１）に記載されるようなものが知られている。ここで、特許文献1に記載される紙葉類の搬送回収装置は、紙幣回収装置が複数の紙幣収納部を備えて紙幣搬送装置の終端部に設置され、紙幣搬送装置により搬送される紙幣を金種毎にその複数の紙幣収納部に分別回収可能に構成されたものであって、複数の紙幣収納部の上流側に全金種の紙幣回収が可能な予備収納部を設け、さらに受入紙幣の金種を識別する紙幣識別手段がその予備収納部の上流側に設けられたものである。これによれば、紙幣搬送装置において紙幣が例えば重なり合った状態で搬送され、紙幣識別手段により紙幣の金種判別ができないときも、その紙幣を予備収納部に収納することができるから、紙幣搬送装置がそれにより異常を検出して停止する等の問題を解決することができる。
【特許文献１】特開２００２−３５２２９８号公報
【発明の開示】
【発明が解決しようとする課題】
【０００３】
ところで、特許文献１に記載される紙幣の搬送回収装置においては、紙幣搬送装置により搬送される紙幣を、先ず紙幣識別手段により識別してから、その識別結果に基づいて対応する紙幣収納部に収納するから、紙幣の処理能力を向上させるには紙幣識別手段の高性能化が必要で、コストが上昇する。また、紙幣搬送装置を搬送される紙幣が重なったり、連続したりしている場合は識別できないことが多く、未識別の紙幣を減少させることが困難である等の問題があった。
本発明は、このような問題に対応するため、簡易な構成で紙幣の処理能力を向上させることにより未識別紙幣を減少させ、さらには装置内での紙幣の詰まりや破損等を減少させることができる信頼性の高い紙葉類の搬送回収装置を提供することを目的とするものである。
【課題を解決するための手段】
【０００４】
上記課題を解決するため、請求項１に係る発明は、紙葉類を受け入れて搬送する搬送通路と、前記搬送通路を搬送される紙葉類を回収する回収装置と、を備え、前記回収装置は、前記搬送通路を搬送される紙葉類を導入し、その紙葉類を立姿勢で複数まとめて貯留する貯留部と、前記貯留部に貯留された紙葉類を一枚毎に分離して送出する紙葉分離手段と、を有し、前記貯留部に貯留される複数の紙葉類を前記紙葉分離手段により一枚毎に分離して送出するとき、事前に、押圧手段によりその複数の紙葉類の一方端側の表面を他方端側に向けて叩くように押圧し、その作用により複数の紙葉類の収納姿勢を整えてから前記紙葉分離手段により一枚毎に分離して送出するものである。
これによれば、前記回収装置は、前記搬送通路を連続した状態で搬送される紙葉類を容易に前記貯留部に導入して貯留することができるから、前記搬送通路を搬送される紙葉類の数を増やすことができる。また、前記貯留部にまとめて貯留される複数の紙葉類は、前記分離手段により一枚毎に分離して送出されるとき、事前に前記押圧手段により叩くように押圧されて躍動し、その収納姿勢が適宜に整えられるから、前記分離手段による紙葉類の分離動作を確実に行うことができる。
また、請求項２に係る発明は、請求項１に記載の紙葉類の搬送装置において、前記紙葉分離手段は、前記貯留部の一方の側部に沿って設けられる紙葉繰出部と、前記紙葉繰出部に対向して、前記貯留部の他方側に設けられる紙葉押圧板部と、前記貯留部の紙葉類送出端側に設けられる紙葉分離部とを有し、前記貯留部に貯留される紙葉類を一枚毎に分離して送出するとき、前記紙葉繰出部を紙葉類の繰出し方向に駆動し、前記紙葉押圧板部を前記紙葉繰出部の方向に移動して前記貯留部に貯留される紙葉類を前記紙葉繰出部に押圧し、紙葉類を前記紙葉分離部に向けて搬送し、前記紙葉分離部により紙葉類を一枚毎に分離して送出するものであって、前記貯留部に貯留される紙葉類を一枚毎に分離して送出するとき、事前に、前記紙葉押圧板部を前記紙葉繰出部の方向に移動し、前記貯留部の紙葉類を叩くように押圧し、その作用により前記貯留部に貯留される紙葉類の収納姿勢を整えてから前記紙葉分離手段により一枚毎に分離して送出するものである。
【０００５】
これによれば、前記紙葉分離手段を構成する前記紙葉押圧板部を前記押圧手段として、機能させることができるから、装置の構成を簡単にし、小型化することができる。
【発明の効果】
【０００６】
以上説明したように請求項１に係る発明によれば、この紙葉類の搬送回収装置は、搬送通路を搬送される紙葉類の数を増やすことができるから、その紙葉類の処理能力を容易に向上させることができる。また、貯留部にまとめて貯留される紙葉類は、事前に押圧手段により叩くように押圧されその収納姿勢が適宜に整えられ、分離手段により一枚毎に確実に分離して送出されるから、装置内での紙葉類の詰まりやその詰まり等による損傷を防止することができる。したがって、これらにより、高性能で信頼性の高い紙葉類の搬送回収装置を提供することができる。
また、請求項２に係る発明によれば、紙葉分離手段を構成する紙葉押圧板部を押圧手段として機能させることにより、装置の構成を簡単にし、小型化することができるから、コストを安くし、また、これを用いる遊技島等のデザインの自由度を増すことができる等、使い勝手の良い紙葉類の搬送回収装置を提供することができる。
【発明を実施するための最良の形態】
【０００７】
本発明の実施の形態について図を参照して説明する。図１は本発明の実施形態の紙葉類の搬送回収装置１を適用するもので、遊技場において複数並設された遊技機（パチンコ台等）７５の間に配置される複数の遊戯媒体（パチンコ玉等）貸出機７０に投入された紙幣をその背面側に設けられた紙幣搬送通路（搬送通路）３に受け入れて、その遊技機７５列の一方端側に設けられた紙幣収納部（回収装置）７６へその紙幣を搬送して回収する装置を備えたいわゆる遊技島８０を模式的に示す斜視図である。また、図２はこの遊技島８０の構成を示す概略平面図である。このように構成される遊技島８０において、遊技媒体貸出機７０の紙幣挿入口７１（図1）に挿入された紙幣は、その内部に設けられた図示しない紙幣識別機により真贋等が識別され、適正と判別されればその背面側の紙幣導入部５０（図２）に送出される。紙幣導入部５０に送出された紙幣は、遊技機７５列に沿ってその背面側に延設された紙葉類の搬送装置１の紙幣搬送通路３に取り込まれ、遊技機７５列の一方端側に設けられた紙幣収納部７６に向けて搬送され、収納される。
図３は、遊技機７５列に沿ってその背面側に延設される紙幣搬送通路３の概略構造を示す側断面図、図４は同様の紙幣搬送通路３の概略構造を示す正面図である。この紙幣搬送通路３の内部には、その幅の略中央部に一方向に循環する無端状のチェーン５が配設されている。この無端状のチェーン５は、遊技島８０の一方端側に設けられた駆動スプロケット６と、これと離間して他方側に配置された一対の従動スプロケット７に巻き掛けられて架設されている。ここで、一対の従動スプロケット７は、スライド自在に設けられた案内部材８に回動自在に取り付けられ、さらにこの案内部材８は無端状のチェーン５の内側に設けられたスプリング９によって他方側に付勢されている。これにより、無端状のチェーン５はこれらの駆動スプロケット６、従動スプロケット７間に緩みなく架設される。そして、その駆動スプロケット６により一方行（図４矢印方向）に循環駆動される。
【０００８】
また、この紙幣搬送通路３は、無端状のチェーン５を案内する後述の案内レール部１２、１３を上下に備えたメインフレーム１１と、メインフレーム１１の上方にこれと平行に配設された上フレーム１５と、これらを挟むようにその両側に設けられた一対の通路側板１７、１８とによって略方形に形成され、その両側の通路側板１７、１８の内側に沿って紙幣を搬送する紙幣通路２０がその両側に形成されている。
メインフレーム１１は、上構造部１１ａと下構造部１１ｂとこれらを連結する連結プレート部１１ｃ等から構成されている。上部構造部１１ａは断面が略角筒状に形成され、その上部に無端状のチェーン５を案内する断面が略方形の案内レール部１２が設けられ、その両側部には通路側板１７、１８を装着する側板装着部２２と、紙幣（紙葉）１０を搬送する紙幣通路２０の下端面を形成するリブ部２３が設けられている。下部構造部１１ｂには、上構造部１１ａの案内レール部１２と上下方向に対称に案内レール部１３が設けられ、その側部に、案内レール部１３を走行する無端状のチェーン５等を覆うカバー部材２６を装着するためのカバー装着部２４が設けられている。また、上構造部１１ａと下構造部１１ｂを連結する連結プレート部１１ｃの両側には、このメインフレーム１１を搬送路支持部材等を介して遊技島８０の基台等に取り付けるジョイント案内部２５が設けられている。
【０００９】
上フレーム１５は断面が略角筒状に形成され、その上部両側に通路側板１７、１８を取り付ける取付部２８が設けられ、その下方に紙幣通路２０の上端面および上部側面を形成するリブ部２９、３０が設けられている。また、この上フレーム１５の上端部にはこれを遊技島８０の基台等に取り付けるためのジョイント案内リブ３１が設けられている。
紙幣搬送通路３の両側の通路側板１７、１８は、メインフレーム１１と上フレーム１５を挟んで向き合うように設けられ、その内壁に紙幣通路２０に突出するように複数の突条部１７ａ、１８ａが紙幣の搬送方向に沿って延設されている。また、この突条部１７ａ、１８ａの一つは、後述の摩擦部材３５の作用部３６と隙間３８を介して噛み合うように配置され、紙幣通路２０を搬送される紙幣１０が両面側から押圧されて安定に摩擦部材３５の作用部３６に当接して搬送されるように機能する。
図５は、紙幣搬送通路３内を一方向に循環する無端状のチェーン５を構成するリンク４０を示すもので（ａ）はその正面図、（ｂ）はその平面図である。図に示すように、このチェーン５を構成するリンク４０は一対のリンクプレート４１を結合して双胴船型に形成されている。このリンクプレート４１の一方端部にはフック部４１ａが形成されている。また、他方端部には、両リンクプレート４１間に駆動スプロケット６および従動スプロケット７と噛み合うブッシュローラー４３が配設され、さらにその両外側端に案内ローラー４５が配設されて、これらが支軸４６により回転自在に支持されている。そして、図中に実線と二点鎖線とで表示したように、隣り合うリンク４０、４０がそれぞれのフック部４１ａと支軸４６とを係合させてループ状に連結されている。また、リンク４０中央の結合部４２上面には凹部４７を有して突出形成された装着部４８が設けられている。そして、この装着部４８の凹部４７に後述の摩擦部材３５の凸状に設けられた連結部３７が着脱可能に装着される。なお、摩擦部材３５を装着しないリンク４０には、装着部４８を設けないものを使用してもよい。
【００１０】
このように構成される無端状のチェーン５は、水平方向を長手方向とする細長いループを形成して紙幣搬送通路３内に張設される。この無端状のチェーン５の細長いループは、その上側の部分と下側の部分がそれぞれメインフレーム１１の上構造部１１ａと下構造部１１ｂに設けられる案内レール部１２、１３によって支持、案内され、その両端部分が駆動スプロケット６、および一対の従動スプロケット７に噛み合うように架設される（図３、図４参照）。またこの無端状のチェーン５は、各リンク４０の案内ローラー４５が案内レール部１２、１３の各辺内面よって案内され、それが転動することにより案内レール部１２、１３内を円滑に走行する。
図６は、無端状のチェーン５のリンク４０に装着される摩擦部材３５を示すもので、（ａ）はその正面図、（ｂ）はその側面図、（ｃ）はその下面図である。この摩擦部材３５は両側に作用部３６を備えて略コ字状に形成され、その中央部に無端状のチェーン５を構成するリンク４０の装着部４８に設けられた凹部４７に挿入される凸状の連結部３７が設けられている。そして、この連結部３７をリンク４０の凹部４７に挿入し、その両側の爪部３７ａをリンク４０の装着部４８の外側に係合させることにより、摩擦部材３５はリンク４０に着脱自在に装着される。なお、連結部３７とともにその中央部の他方側に凸状に設けられる支柱部３９は、摩擦部材３５の作用部３６とリンク４０の間隔を適当に保持するための案内部である。
【００１１】
摩擦部材３５両側の作用部３６は、紙幣通路２０を搬送される紙幣１０と当接して摩擦力を生じるウレタンゴム等の摩擦材料からなり、その中央に形成される溝部３６ａは通路側板１７、１８に形成される突条部１７ａ、１８ａと対向し、これと隙間３８を介して噛み合うように形成されている。すなわち、このような構成によれば、紙幣通路２０を搬送される紙幣１０が、この作用部３６と突条部１７ａ、１８ａにより挟み込まれて波型に変形すると紙幣１０が作用部３６により押圧され、それにより生じる摩擦力を安定させて、紙幣１０の搬送を確実に行うことができる（図３参照）。なお、この摩擦部材３５は、無端状のチェーン５のリンク４０に搬送紙幣の長さより短い所定の間隔で装着される。
図７は、遊技媒体貸出機７０に挿入された紙幣が、その内部の図示しない紙幣識別機により適正と判別されて送出される紙幣導入部５０の構造を示す平面断面図である。図に示すように、この紙幣導入部５０は、通路側板１８（１７）と並んで配設されて紙幣通路２０の側壁を構成する導入部本体５１と、その外側に設けられた導入部カバー５２等からなり、導入部本体５１と導入部カバー５２の間に、遊技媒体貸出機７０から送出される紙幣１０を紙幣通路２０に導く紙幣導入通路５５が形成されている。この紙幣導入通路５５は、遊技媒体貸出機７０から送出される紙幣の向きを紙幣通路２０に沿って略直角に変更し、紙幣１０がその紙幣通路２０に受け入れられるように案内する。また、紙幣導入通路５５と紙幣通路２０の合流部付近には、それらの通路に突出しかつ紙幣１０の搬送方向に回動自在に設けられた検知レバー５６を備え、紙幣１０がその位置を通過するとき検知レバー５６がその紙幣１０に押されて搬送方向に回動し、これにより紙幣１０の通過を検知する紙幣搬送検知センサ５３が配置されている。
【００１２】
また、紙幣導入部５０には、通路側板１８（１７）に設けられた突条部１８ａ（１７ａ）に対応してそれを延設するように導入突条部５１ａが設けられている。そして、この導入突条部５１ａには紙幣導入通路５５と紙幣通路２０の合流部から紙幣搬送方向に向かう所定の区間において、その高さが、通路側板１８（１７）の突条部１８ａ（１７ａ）よりも低く形成された導入待機部５１ｂが設けられている。ここで、この紙幣搬送通路３においては、遊技媒体貸出機７０の紙幣識別機により適正と判別され紙幣導入部５０に送出された紙幣１０がエスクロ（返却可能）状態にあるとき、その紙幣１０の先端は、この導入待機部５１ｂが形成された範囲に位置して、一時保留されるように構成されている。そして、遊技媒体貸出機７０から紙幣導入部５０に送出された紙幣１０の先端がこのように導入待機部５１ｂに位置する場合は、その紙幣１０の先端部が摩擦部材３５の作用部３６と導入待機部５１ｂにより挟まれてその搬送方向に搬送力を生じるが、その搬送力は、通路側板１８（１７）の突条部１８ａ（１７ａ）と同じ高さに形成される導入突条部５１ａの位置にある紙幣に生じるものより小さい。したがって、遊技媒体貸出機７０の本体に設けられる例えば紙幣保持ローラー７０ａ等により、この比較的小さな搬送力に対応する力で挟持して、紙幣１０を容易にその位置に保持することができる。また、この紙幣をさら紙幣通路２０に送り込み紙幣保持ローラー７０ａによる挟持を解消（すなわちエスクロ状態を解除）すれば、その紙幣１０に生じる前述の比較的小さな搬送力により紙幣１０が搬送方向に徐々に搬送される。そして、通路側板１８（１７）の突条部１８ａ（１７ａ）と同じ高さに形成される導入突条部５１ａの位置に到達すると、その搬送力が増して比較的大きなものとなり紙幣１０の搬送を確実に行うことができる。すなわち、このような構成により、構造が簡単でコストが安く、紙幣１０の紙幣通路２０への導入を確実に行うことができる信頼性の高い紙幣搬送装置に係る紙幣導入装置を提供することができる。
【００１３】
図８は、遊技機７５列の一方側に設けられ、紙幣搬送通路３に受け入れられた紙幣を回収する紙幣収納部７６の内部構成を示す平面断面図、図９は紙幣搬送通路３に設けられた無端状のチェーン５により搬送される紙幣が、その一方端側において紙幣収納部７６に受け渡される状態を示す側面断面図である。
図８に示すように、この紙幣収納部７６は、紙幣搬送通路３の両側に設けられた紙幣通路２０に接続する二又状の紙幣導入通路部６０を備えている。紙幣導入通路部６０には、それぞれの紙幣通路２０から受け渡される紙幣を挟持して紙幣導入通路部６０に導入する導入ローラ６１ａ、６１ｂ、６２ａ、６２ｂが設けられている。紙幣導入通路部６０に導入された紙幣は、二又の通路が合流する合流部６０ａを経て貯留部６３に立姿勢で送出される。この貯留部６３の入口部６３ａには、紙幣導入通路部６０から送られる紙幣を挟持して、それを貯留部６３に送入する送入ローラ６４ａ、６４ｂと、これと同軸に設けられた送入羽根車６５とが配設されている。送入羽根車６５の羽根部６５ａは、ゴム等の軟質部材からなり、紙幣１０が貯留部６３に送入されるとき、その後端に作用して、紙幣を前方かつ貯留部６３の一方側（図の下側）に寄せるように付勢する。すなわち、これにより貯留部６３に送入される紙幣が、複数枚重なったり、連続したりする状態であっても、各々の紙幣の前端縁と後端縁とが衝突して変形することがなく、それらが詰まりなく貯留部６３に略並列状態で複数枚纏めて貯留される。
【００１４】
貯留部６３に複数枚纏めて貯留された紙幣は、その入口部６３ａと対向する前方側に配置された出口部６３ｂから、後述の分離送出手段（紙葉分離手段）９１により一枚毎に分離されて送出される。そして、貯留部６３から一枚ごとに分離されて送出された紙幣は、湾曲した搬送路６６ａを介してその搬送方向を略直角に変え、紙幣の金種や外観状態を識別する紙幣識別部６７に搬送される。紙幣識別部６７に搬送された紙幣は、その内部に設けられた識別手段６７ａ、６７ｂによりその金種や外観状態等が識別され、再使用が可能な適正紙幣と、回収交換の対象となる不適紙幣に判別される。
紙幣識別部６７において金種や外観状態が識別された紙幣は、その前方の湾曲した搬送路６６ｂを通過して、前述と同様に搬送方向を略直角に変えて紙幣振分部６８に搬送される。紙幣振分部６８には搬送される紙幣の搬送通路を切り換える通路切換爪部６８ａが設けられている。この通路切換爪部６８ａは、支軸６８ｂの廻りに揺動することにより、紙幣の搬送方向を略直角に変える方向と、直進させる方向の何れかに切り換える。また、この通路切換爪部６８ａは、紙幣識別部６７おいて、適正紙幣と判別された紙幣の搬送方向を略直角に変更し、不適紙幣と判別された紙幣の搬送方向を直進する方向に維持する。
そして、搬送方向を略直角に変更された紙幣は、湾曲した搬送路６６ｃを通過して適正紙幣が収納される適正紙幣収納部６９の挿入待機部６９ａに搬送される。ここで、挿入待機部６９ａの一方の側には、挿入待機部６９ａに搬送された紙幣を他方側に押し出して移動する押出手段８５が設けられ、その他方側には、押し出された紙幣を横方向に重ねて収納する紙幣金庫部６９ｂが設けられている。また、送入待機部６９ａの入口部に設けられる挿入羽根車８６は、その羽根部８６ａが送入羽根車６５と同様にゴム等の軟質部材から構成され、そこに搬送される紙幣の片面に作用して、紙幣をその前方の所定位置に向けて付勢する。そして、そのように挿入待機部６９ａに搬送された適正紙幣は、押出手段８５により紙幣金庫部６９ｂに向けて押し出され、そこに横方向に重ねて収納される。
【００１５】
一方、通路切換爪部６８ａを直進して搬送される紙幣は、その前方の湾曲した搬送路６６ｄを通過して搬送方向が略直角に変更され、その先に適正紙幣収納部６９の挿入待機部６９ａと並列に配置された回収金庫部８７に搬送される。ここで、回収金庫部８７の入口部８７ａに設けられた回収羽根車８８は、前述の貯留部６３の送入羽根車６５と同様に構成され、回収金庫部８７に搬送される紙幣の後端に作用して、その紙幣を前方かつ一方側（図８において右側）に寄せるように付勢する。すなわち、これにより回収金庫部８７に先に搬送された紙幣と後続の紙幣が衝突して変形することがなく、詰まりなく回収金庫８７に紙幣が纏めて回収される。
以上のように、紙幣搬送通路３から紙幣収納部７６の貯留部６３に搬送された紙幣は、紙幣識別部６７で一枚毎に金種や外観状態が識別され、その識別結果に応じて適正紙幣収納部６９と回収金庫部８７にそれぞれ振分けられて収納される。
ここで、貯留部６３に複数枚纏めて貯留される紙幣を、その前方側から一枚ごとに分離して送出する分離送出手段９１の動作について説明する。図１０は、紙幣収納部７６の貯留部６３に設けられ、紙幣を一枚毎に分離して送出する分離送出手段９１の構成を示す平面断面図、図１１はこの分離送出手段９１を構成する後述のソレノイド（押圧手段）１０５と繰出ベルト（紙葉繰出部）９２の動作を示すタイミングチャートである。図１０に示すように、貯留部６３の一方側部には、その一方側面に沿って紙幣を前方に送出する無端状の繰出ベルト９２が張設されている。この繰出ベルト９２は、紙幣搬送方向の上流側に設けられる駆動プーリー９３と、貯留部６３の紙幣送出端側に設けられる支軸９４に回転自在に装着された従動プーリー９５に巻回されている。また、これらの駆動プーリー９３と従動プーリー９５の間には、ベルト面を貯留部６３の一方側面に沿って案内する複数の案内プーリー９６ａ、９６ｂが配設されている。なお、この繰出ベルト９２は紙幣の搬送方向に沿って３列に並んで設けられている（図９参照）。
【００１６】
また、貯留部６３の繰出ベルト９２と対向する他方側には、支軸９７の廻りに揺動自在に設けられ、貯留部６３に複数まとめて貯留される紙幣１０の一方端側の表面を繰出ベルト９２に向けて押圧する紙幣押圧板（紙葉押圧板部、押圧手段）９８が設けられている。この紙幣押圧板９８は、常時は図示しない付勢手段（たとえばコイルスプリング等）により他方側（図１０において上側）に向けて回動付勢され、繰出ベルト９２と紙幣押圧板９８との間に空間が形成される。そして、この空間に紙幣導入通路部６０から紙幣が順次に送入され、複数枚がまとめて貯留される。さらに、この紙幣押圧板９８の前方（紙幣送出方向）には、繰出ベルト９２と僅かな隙間を空けて逆転ローラー９９（紙葉分離部）が配設されている。なお、この逆転ローラー９９は３列に並ぶ繰出ベルト９２の間に、この繰出ベルト９２と対向しないように（例えば並んだベルトとベルト間）設けられている。
貯留部６３の出口６３ｂ側に設けられた湾曲した搬送路６６ａには、外周がその湾曲通路に沿って形成され、繰出ベルト９２の従動プーリー９５が回動自在に装着される支軸９４に固着され、これにより回転駆動される搬送ローラー１０１が設けられている。さらに、この搬送ローラー１０１の外周に沿って、従動ローラー１０２ａ、１０２ｂが略９０度の間隔で配置されている。このように配置される搬送ローラー１０１と受動ローラー１０２ａ、１０２ｂに挟持されて、貯留部６３から送出された紙幣が湾曲した搬送路６６ａを搬送される。さらに、湾曲した搬送路６６ａの出口部（紙幣識別部６７の手前側）にはそこを通る紙幣を検出する紙幣センサ１０３が配置されている。
【００１７】
このような構成において、紙幣収納部７６の貯留部６３に予め設定された複数枚の紙幣がまとめて貯留されると、先ず、貯留部６３の側方に設けられたソレノイド１０５が図１１に示すように短時間（８０ｍｓ）駆動され、複数の紙幣１０が紙幣押圧板９８により繰出ベルト９２側に、叩くように押圧される。このとき、貯留部６３に、立ち姿勢の状態で横に不揃いに重ねて収納された紙幣１０は、その作用により躍動し、その後に静止するまでの間に、例えばその下端が貯留部６３の底面に沿うように揃えられて、収納姿勢が適宜に整えられる。
そして、ソレノイド１０５駆動後に紙幣の姿勢安定化時間（１６０ｍｓ）が経過すると、
貯留部６３の側方に設けられたソレノイド１０５が再び駆動（１４０ｍｓ）され、それと連結されたリンク機構（押圧手段）１０６が揺動することにより、紙幣押圧板９８が繰出ベルト９２に向けて回動し、複数枚の紙幣１０がまとめて繰出ベルト９２に押圧される。そして、これと略同時に繰出ベルト９２が紙幣の送出方向に回転駆動（２４０ｍｓ）され、繰出ベルト９２に当接する１枚の紙幣が貯留部６３の前方に向けて繰り出される。このとき、貯留部６３の前部に繰出ベルト９２と僅かに隙間を設けて配置された逆転ローラー９９は、繰出ベルト９２の駆動方向と反対の方向に回転駆動される。すなわち、繰出ベルト９２に当接する紙幣が貯留部６３の前方に向けて移動するとき、繰出ベルト９２の反対側でそれと共に重なって前方に移動する紙幣は、逆転ローラー９９により貯留部６３内に送り戻される。したがって、貯留部６３の前方側からは、１枚に確実に分離された紙幣のみが繰り出される。
【００１８】
このように貯留部６３から繰り出された紙幣は、湾曲した搬送路６６ａに設けられた搬送ローラー１０１と従動ローラー１０２ａ、１０２ｂに挟持されて、その湾曲した搬送路６６ａに沿って搬送される。そして、紙幣の先端が湾曲した搬送路６６ａの出口部に設けられた紙幣センサ１０３により検出されると、紙幣押圧板９８による紙幣の押圧が解除され、同時に繰出ベルト９２と逆転ローラー９９の駆動が停止される。この状態で、１枚に分離された紙幣のみが、搬送ローラー１０１と従動ローラー１０２ａ、１０２ｂに挟持されて貯留部６３から送出される。そして、この紙幣の後端が湾曲した搬送路６６ａの出口部を通過して、紙幣センサ１０３がこの紙幣を検出しない状態になると、再び紙幣押圧板９８が回動されて貯留部６３内の紙幣１０を繰出ベルト９２に向けて押圧する。そして、再び紙幣分離動作が繰り返される。ここで、貯留部６３に収納される紙幣１０は、事前の紙幣押圧板９８の押圧動作により、その姿勢が適宜に整えられているから、搬送方向に傾いて送出されたりせず、逆転ローラー９９等により確実に１枚毎に分離される。このようにして、貯留部６３に複数枚纏めて貯留される紙幣１０を、その前方側から一枚毎に確実に分離して送出する。
なお、このような分離送出手段９１の動作によっても、紙幣１０が貯留部６３から送出されない場合は、繰出ベルト９２とソレノイド１０５が、図１２に示すタイミングチャートのように動作し、再試行（リトライ）動作が実行される。詳述すれば、ソレノイド１０５が駆動されて紙幣１０が繰出ベルト９２に押圧され、繰出ベルト９２が回転駆動された後、所定時間が経過しても紙幣１０の送出が紙幣センサ１０３により検出されない場合は、繰出ベルト９２のみを短時間逆転させたのち、再びソレノイド１０５と繰出ベルト９２を最初の駆動時間より多少長く駆動して紙幣１０の繰り出し動作を行う。さらに、この２回目の繰り出し動作によっても紙幣の送出が紙幣センサ１０３により検出できない場合は、紙幣ソレノイド１０５を駆動して紙幣１０を繰出ベルト９２に押圧した状態で繰出ベルト９２を逆転させて、紙幣１０を逆転ローラー９９から強制的に引き離すようにし、その後さらに図に示すように紙幣１０の繰り出し動作を２回試行する。その場合ににも、紙幣１０の送出が紙幣センサにより検出できない場合は、紙幣の繰出異常として異常処理（詳細省略）に移行する。
【００１９】
以上のように、本発明の紙幣収納部７６は、紙幣搬送通路３の紙幣通路２０を重なった状態や連続した状態で搬送される紙幣を、その状態で貯留部６３に導入して貯留することができるから、遊戯媒体貸出機７０から紙幣通路３に送出される紙幣が重なったり、連続したりしないように制御する必要がなく、紙幣通路２０に送出される紙幣の数を増やして容易に紙幣の搬送効率を高めることができる。これにより、紙幣の処理能力を容易に向上させることができる。また、貯留部６３にまとめて貯留される紙幣１０は、事前に紙幣押圧板９８により叩くように押圧されその収納姿勢が適宜に整えられ、分離搬送手段９１により一枚毎に確実に分離して送出されるから、装置内での紙葉類の詰まりやその詰まりによる損傷等を防止することができる。さらに、貯留部６３の下流側に配置される紙幣識別部６７は貯留部６３から送出される紙幣の搬送姿勢が傾いたりせず安定化することにより、その識別を精度良く確実に行うことができる。したがって、これらにより、高性能で信頼性の高い紙葉類の搬送回収装置を提供することができる。
また、分離搬送手段９１を構成する紙幣押圧板９８を、貯留部６３内に貯留される紙幣の収納姿勢を整える手段として機能させることにより、装置の構成を簡単にし、小型化することができるから、コストを安くし、また、これを用いる遊技島等のデザインの自由度を増すことができる等、使い勝手の良い紙葉類の搬送回収装置を提供することができる。
【００２０】
なお、本発明は、言うまでもなく本実施の形態に示す装置にのみ限定されず、その趣旨の包含する範囲で応用変更が可能である。例えば、紙幣収納部７６に設けられる貯留部６３に備えられる分離搬送手段９１の構成や、紙幣押圧板９８、リンク機構１０６及びソレノイド１０５等からなる押圧手段の構成、形状等はこの実施形態に示すものに限定されるものではない。
【図面の簡単な説明】
【００２１】
【図１】本発明の実施形態の紙葉類の搬送回収装置を適用するもので、遊技場において複数並設された遊技機（パチンコ台等）の間に配置される複数の遊戯媒体（パチンコ玉等）貸出機に投入された紙幣を回収し、その遊技機列の一方端側に設けられた紙幣収納部（回収装置）へその紙幣を搬送する装置を備えたいわゆる遊技島を模式的に示す斜視図である。
【図２】本発明の実施形態の紙葉類の搬送回収装置を適用する遊技島の構成を示す概略平面図である。
【図３】本発明の実施形態の紙葉類の搬送回収装置において遊技機列に沿ってその背面側に延設される紙幣搬送通路の構造を示す側断面図である。
【図４】本発明の実施形態の紙葉類の搬送回収装置において遊技機列の背面側に延設される紙幣搬送通路を示す正面図である。
【図５】本発明の実施形態の紙葉類の搬送回収装置において紙幣搬送通路内を一方向に循環する無端状のチェーンを構成するリンクを示すもので（ａ）はその正面図、（ｂ）はその平面図である。
【図６】本発明の実施形態の紙葉類の搬送回収装置において無端状のチェーンのリンクに装着される摩擦部材を示すもので、（ａ）はその正面図、（ｂ）はその側面図、（ｃ）はその下面図である。
【図７】本発明の実施形態の紙葉類の搬送回収装置において、遊技媒体貸出機の紙幣挿入口に挿入された紙幣が、その内部の紙幣識別機により適正と判別されて送出される紙幣導入部の構造を示す平面断面図である。
【図８】本発明の実施形態の紙葉類の搬送回収装置において、遊技機列の一方側に設けられ、紙幣搬送通路に受け入れられた紙幣を回収する紙幣収納部の内部構成を示す平面断面図である。
【図９】本発明の実施形態の紙葉類の搬送回収装置において、紙幣搬送通路に設けられた無端状のチェーンにより搬送される紙幣が、その一方端側において紙幣収納部に受け渡される状態を示す側面断面図である。
【図１０】本発明の実施形態の紙葉類の搬送回収装置において、紙幣収納部の貯留部に設けられ、紙幣を一枚毎に分離して送出する分離送出手段の構成を示す平面断面図である。
【図１１】本発明の実施形態の紙葉類の搬送装置において、紙幣収納部の貯留部から紙幣を繰り出す場合に、その分離送出手段を構成するソレノイドと繰出ベルトの動作を示すタイミングチャートである。
【図１２】本発明の実施形態の紙葉類の搬送装置において、分離送出手段の所定の動作によっても紙幣収納部の貯留部から紙幣が繰り出されない場合に、その分離送出手段を構成するソレノイドと繰出ベルトのリトライ動作を示すタイミングチャートである。
【符号の説明】
【００２２】
１  紙葉類の搬送回収装置
３  紙幣搬送通路（搬送通路）
１０  紙幣（紙葉類）
６３  貯留部
６７  紙幣識別部
６９  適正紙幣収納部
７１  紙幣挿入口
７６  紙幣収納部（回収装置）
９１  分離送出手段（紙葉分離手段）
９２  繰出ベルト（紙葉繰出部）
９８  紙幣押圧板（紙葉押圧板部、押圧手段）
９９  逆転ローラー（紙葉分離部）
１０３  紙幣センサ
１０５  ソレノイド（押圧手段）
１０６  リンク機構（押圧手段）
【図１】
0005422926.tif 000002
【図２】
0005422926.tif 000003
【図３】
0005422926.tif 000004
【図４】
0005422926.tif 000005
【図５】
0005422926.tif 000006
【図６】
0005422926.tif 000007
【図７】
0005422926.tif 000008
【図８】
0005422926.tif 000009
【図９】
0005422926.tif 000010
【図１０】
0005422926.tif 000011
【図１１】
0005422926.tif 000012
【図１２】
0005422926.tif 000013